(57)【要約】【課題】構成の複雑化を回避しつつ光電子増倍管装置のダイナミックレンジの拡大を実現し光電子増倍管信号処理装置を提供すること。【解決手段】アノードＡ近傍のダイノードＤ９の出力を増幅するダイノードアンプ１７と、アノードアンプ１９の出力が飽和する領域にてアノードアンプ１９の出力に代えてダイノードアンプ１７の出力を装置出力として選択出力する。これにより、極めて簡単に光電子増倍管３のダイナミックレンジを拡大することができる。【選択図】図１
2005276488.tif 000002
【特許請求の範囲】
【請求項１】
アノード、多数のダイノード及びカソードを有してアノード、各ダイノード及びカソード間に所定の電圧が印加される光電子増倍管と、前記アノードの電流出力を電圧出力に変換するアノードアンプとを有し、前記アノードアンプの出力を装置出力として出力する光電子増倍管信号処理装置において、
前記アノード近傍の前記ダイノードの出力を増幅するダイノードアンプと、
前記アノードアンプの出力が飽和する領域にて前記アノードアンプの出力に代えて前記ダイノードアンプの出力を装置出力として選択出力する選択回路と、
を有することを特徴とする光電子増倍管信号処理装置。
【請求項２】
請求項１記載の光電子増倍管信号処理装置において、
前記選択回路は、前記ダイノードアンプの出力と前記アノードアンプの出力とのうち大きい方の出力を選択し、
前記ダイノードアンプは、前記光電子増倍管への等しい入射光量において前記アノードアンプの出力に等しい出力をもつことを特徴とする光電子増倍管信号処理装置。
【請求項３】
請求項２記載の光電子増倍管信号処理装置において、
前記ダイノードアンプは、前記アノードから数えて２番目以降の前記ダイノードの出力を増幅することを特徴とする光電子増倍管信号処理装置。
【請求項４】
請求項１乃至３のいずれか記載の光電子増倍管信号処理装置において、
前記ダイノードをコンデンサを介して前記ダイノードアンプの入力端に接続するコンデンサと、
前記コンデンサの前記ダイノードアンプ側の電極を所定電位に定期的に固定するスイッチと、
を有することを特徴とする光電子増倍管信号処理装置。
【請求項５】
請求項４記載の前記光電子増倍管を有するイメージングプレート信号処理装置であって、
前記光電子増倍管は、前記スイッチのオン期間に同期してオフされるレーザー光により輝尽発光するイメージングプレートからの信号光を光電子増倍することを特徴とする請求項５記載の光電子増倍管信号処理装置をもつイメージングプレート信号処理装置。
【請求項６】
アノード、多数のダイノード及びカソードを有してアノード、各ダイノード及びカソード間に所定の電圧が印加される光電子増倍管と、前記アノードの電流出力を電圧出力に変換するアノードアンプとを有し、前記アノードアンプの出力を装置出力として出力する光電子増倍管信号処理装置において、
前記アノードをコンデンサを介して前記アノードの入力端に接続するコンデンサと、前記コンデンサの前記アノードアンプ側の電極を所定電位に定期的に固定するスイッチとを有し、前記カソードは接地され、前記アノードは抵抗を通じて高圧電源電圧を印加されることを特徴とする光電子増倍管信号処理装置。
【請求項７】
請求項６記載の前記光電子増倍管を有するイメージングプレート信号処理装置であって、
前記光電子増倍管は、前記スイッチのオン期間に同期してオフされるレーザー光により輝尽発光するイメージングプレートからの信号光を光電子増倍することを特徴とする請求項５記載の光電子増倍管信号処理装置をもつイメージングプレート信号処理装置。
【請求項８】
レーザー光により輝尽発光するイメージングプレートと、
前記イメージングプレートからの信号光を光電子増倍する光電子増倍管と、
前記光電子増倍管の電流出力を電圧出力に変換するアンプと、
前記アンプの出力を所定期間ごとにサンプリングしてデジタル信号にＡ／Ｄ変換するＡ／Ｄコンバータと、
を備える光電子増倍管信号処理装置をもつイメージングプレート信号処理装置において、
前記アンプの出力を積分する積分回路と、
前記Ａ／Ｄコンバータのサンプリング直後に前記積分回路をリセットする積分リセットスイッチと、
を有することを特徴とする光電子増倍管信号処理装置をもつイメージングプレート信号処理装置。
【請求項９】
請求項８記載の光電子増倍管信号処理装置をもつイメージングプレート信号処理装置において、
前記レーザー光は、所定タイミングにてオフされ、
前記レーザー光オフ期間は、前記積分リセットスイッチのオン期間と同期することを特徴とする光電子増倍管信号処理装置をもつイメージングプレート信号処理装置。
【請求項１０】
請求項４又は６と請求項９とに記載する光電子増倍管信号処理装置をもつイメージングプレート信号処理装置において、
前記コンデンサの電極を所定電位に定期的に固定するスイッチは、前記レーザー光オフ期間及び前記積分リセットスイッチのオン期間と同期してオンすることを特徴とする光電子増倍管信号処理装置をもつイメージングプレート信号処理装置。
【発明の詳細な説明】
【技術分野】
【０００１】
本発明は、光電子増倍管及びイメージングプレート信号処理装置の信号増幅方法に関する。本発明はたとえば、イメージングプレート信号処理装置に適用される。
【背景技術】
【０００２】
Ｘ線回折光検出装置やイメージングプレート信号処理装置などに用いられる光電子増倍管のダイナミックレンジの拡大が要望されており、この問題の解決法として特許文献１は、感度が異なる複数の光電子増倍管を用いて信号出力が大きい方の出力を選択することを提案している。
【０００３】
また、従来の光電子増倍管では、光電子増倍管のアノード電位をアンプにより信号処理して光電子増倍管出力とするために、光電子増倍管のアノード電位をアンプ作動電位近傍電位（略接地電位）とするのが通常である。このため、光電子増倍管のカソードにたとえば１０００Ｖを超えるような負の高電圧を電源の内部抵抗や電流制限抵抗を通じて印加する必要があった。
【特許文献１】特開２００１−１８８０９９号公報
【発明の開示】
【発明が解決しようとする課題】
【０００４】
特許文献１の方法によれば、確かにダイナミックレンジの拡大が可能となるが、光電子増倍管を二つ必要となって装置構成が大型複雑となり、それにつれて保守管理も煩雑となる。更に、信号光を二つの光電子増倍管に分割入射する必要があり、信号光を一本の光電子増倍管に集中する従来技術に比較して小光量時のＳＮ比の低下や光学系の複雑化を問題となる。
【０００５】
また、上記したアノードをオペアンプを用いて仮想接地し、カソードに負の高電圧を印加する方式では、カソード電位の変動により最初に光電子増倍を行う初段ダイノードとカソード間の電圧が変動しやすくリニアリティが悪化しやすいという問題があった。
【０００６】
本発明は上記問題点に鑑みなされたものであり、構成の複雑化を回避し小光量時のＳＮ比の低下を防止しつつ光電子増倍管装置のダイナミックレンジの拡大を実現した光電子増倍管信号処理装置及びそれを用いたイメージングプレート信号処理装置を提供することその目的としている。
【課題を解決するための手段】
【０００７】
上記課題を解決する第１発明の光電子増倍管信号処理装置は、アノード、多数のダイノード及びカソードを有してアノード、各ダイノード及びカソード間に所定の電圧が印加される光電子増倍管と、前記アノードの電流出力を電圧出力に変換するアノードアンプとを有し、前記アノードアンプの出力を装置出力として出力する光電子増倍管信号処理装置において、前記アノード近傍の前記ダイノードの出力を増幅するダイノードアンプと、前記アノードアンプの出力が飽和する領域にて前記アノードアンプの出力に代えて前記ダイノードアンプの出力を装置出力として選択出力する選択回路とを有することを特徴としている。
【０００８】
すなわち、この発明は、アノード出力を処理するアノードアンプに加えてアノード近傍のダイノードの出力を処理するダイノードアンプを追加し、アノードアンプの飽和領域においてこのダイノードアンプの出力を用いる。これにより、光電子増倍管への入射光量がアノードアンプが飽和するレベルに達した場合でも、ダイノードアンプの出力を用いて光電子増倍管に入射する光量に応じて変化する出力をリニアリティ良く得ることができ、簡単な回路によりダイナミックレンジを増大することができる。
【０００９】
好適な態様において、前記選択回路は、前記ダイノードアンプの出力と前記アノードアンプの出力とのうち大きい方の出力を選択し、前記ダイノードアンプは、前記光電子増倍管への等しい入射光量において前記アノードアンプの出力に等しい出力をもつことを特徴としている。このようにすれば、アンプ出力を比較するだけでアンプ出力を切り替えることができるため、出力の選択回路を簡素化することができる。
【００１０】
好適な態様において、前記ダイノードアンプは、前記アノードから数えて２番目以降の前記ダイノードの出力を処理することを特徴としている。これにより、飽和し易いアノードに隣接する一番目のダイノードを出力を用いないため、ダイナミックレンジの増大を大きくすることができる。
【００１１】
好適な態様において、前記ダイノードをコンデンサを介して前記ダイノードアンプの入力端に接続するコンデンサと、前記コンデンサの前記ダイノードアンプ側の電極を所定電位に定期的に固定するスイッチとを有することを特徴としている。これにより、ダイノードの直流電位がダイノードアンプへ入力されるのを遮断することができるため、たとえばダイノードアンプをアノードアンプと同じ電圧系で駆動するなどしてダイノードアンプの回路構成を簡素化することができる。
【００１２】
好適な態様において、前記光電子増倍管は、前記スイッチのオン期間に同期してオフされるレーザー光により輝尽発光するイメージングプレートからの信号光を光電子増倍することを特徴とする。上記したコンデンサの充電をスイッチにより定期的に消滅させる場合には、スイッチオン期間にはダイノードアンプは正常に光電子増倍管の信号を増幅することができないが、この期間にレーザー光を遮断してイメージングプレートの輝尽発光を禁止するため、この期間の輝尽発光によりイメージングプレートの励起状態の消失がなく、信号出力の減少を防止することができる。
【００１３】
第２発明の光電子増倍管信号処理装置は、アノード、多数のダイノード及びカソードを有してアノード、各ダイノード及びカソード間に所定の電圧が印加される光電子増倍管と、前記アノードの電流出力を電圧出力に変換するアノードアンプとを有し、前記アノードアンプの出力を装置出力として出力する光電子増倍管信号処理装置において、前記アノードをコンデンサを介して前記アノードの入力端に接続するコンデンサと、前記コンデンサの前記アノードアンプ側の電極を所定電位に定期的に固定するスイッチとを有し、前記カソードは接地され、前記アノードは、抵抗を通じて高圧電源電圧を印加されることを特徴としている。
【００１４】
すなわち、この発明では、アノードに正の直流電圧を印加し、カソードにたとえば接地電位のような低電位を小さいインピーダンスを通じて与えることができ、更にアノードアンプを接地電位に近い通常の電圧系で運転することができるため、カソード電位の変動によるＳＮ比の低下を防止することができる。
【００１５】
好適な態様において、前記光電子増倍管は、前記スイッチのオン期間に同期してオフされるレーザー光により輝尽発光するイメージングプレートからの信号光を光電子増倍することを特徴としている。これにより、上述と同様の効果を奏することができる。
【００１６】
第３発明の光電子増倍管信号処理装置をもつイメージングプレート信号処理装置は、レーザー光により輝尽発光するイメージングプレートと、前記イメージングプレートからの信号光を光電子増倍する光電子増倍管と、前記光電子増倍管の電流出力を電圧出力に変換するアンプと、前記アンプの出力を所定期間ごとにサンプリングしてデジタル信号にＡ／Ｄ変換するＡ／Ｄコンバータとを備える光電子増倍管信号処理装置をもつイメージングプレート信号処理装置において、
前記アンプの出力を積分する積分回路と、前記Ａ／Ｄコンバータのサンプリング直後に前記積分回路をリセットする積分リセットスイッチとを有することを特徴としている。
【００１７】
すなわち、この発明では、光電子増倍管の光電流を信号電圧に変換するアンプの出力は、積分回路により１ピクセル分積分され、この積分された１ピクセル分の光電流積分値がＡ／Ｄコンバータによりサンプリングされてデジタル信号に変換されるので、ＳＮ比を向上することができる。
【００１８】
好適な態様において、前記レーザー光は、所定タイミングにてオフされ、前記レーザー光オフ期間を前記積分リセットスイッチのオン期間と同期させる。このようにすれば、積分リセットスイッチのオン期間に無駄にイメージングプレートを輝尽発光させてイメージ情報を失うことがなく、ＳＮ比を更に向上することができる。
【００１９】
好適な態様において、第１発明又は第２発明において採用したコンデンサの電極を所定電位に定期的に固定するスイッチが、前記レーザー光オフ期間及び前記積分リセットスイッチのオン期間と同期してオンさせるため、請求項４又は６に記載した
第１発明又は第２発明を良好に実施することができる。
【発明を実施するための最良の形態】
【００２０】
本発明の光電子増倍管の出力処理法を実施態様を参照して具体的に説明する。もちろん、本発明は下記の実施態様に限定されるものではなく、本発明の技術思想を公知の他の技術要素の組み合わせで実施しても良い。
【実施例１】
【００２１】
（回路構成）
実施例１の光電子増倍管信号処理装置を用いたイメージングプレート信号処理装置を図１に示すその回路を参照して説明する。
【００２２】
１は、放射線が照射されて放射線画像に対応する電荷を高位順位にトラップに蓄積するイメージングプレート、２は、イメージングプレート１の蓄積電荷を順次読み出すためにイメージングプレート１にスポット光を二次元走査するレーザ装置、３はカソードＣ、アノードＡ及び１０個のダイノードＤ１〜Ｄ１０を有する光電子増倍管、４は光電子増倍管から信号を取り出すための光電子増倍管増幅回路、５は抵抗Ｒ０を通じてカソードＣに負の高電圧を印加する直流電源である。
【００２３】
光電子増倍管増幅回路４について以下に詳しく説明する。
【００２４】
抵抗Ｒ０〜Ｒ７が直列接続されて構成されている抵抗分圧回路（ディバイダ）６により、各ダイノード電圧がカソードＣに近い６つのダイノードＤ１〜Ｄ６に個別に印加されている。抵抗Ｒ０の低電位端に上記負の高電圧が印加され、抵抗Ｒ７の高電位端は接地されているため、これら６つのダイノードＤ１〜Ｄ６には抵抗分割された分割電圧が印加されている。カソードＣは抵抗Ｒ０の高電位端に接続されている。各ダイノードＤ１〜Ｄ６から抵抗分圧回路６に流入する光電子増倍電流の変化により、抵抗分圧回路６の電位は変動するが、この電流は小さいため、実質的に無視することができる。
【００２５】
同じく、アクティブディバイダ７により、各ダイノード電圧がアノードＡに近い４つのダイノードＤ７〜Ｄ１０に印加されている。アクティブディバイダ７を以下に説明する。
【００２６】
抵抗Ｒ８〜Ｒ１２は、抵抗Ｒ０とともに順番に直列接続してなる抵抗分圧回路８を構成しており、抵抗Ｒ０の低電位端に上記負の高電圧が印加され、抵抗Ｒ１２の高電位端は接地されているため、４つの分圧が発生する。各分圧のうち最も負の分圧はダイノードＤ７に印加され、他の３つの分圧は、ＮＭＯＳトランジスタＴ１〜Ｔ３のゲート電極に印加される。ツェナダイオードＺＤ１、ＮＭＯＳトランジスタＴ１、ツェナダイオードＺＤ２、ＮＭＯＳトランジスタＴ２、ツェナダイオードＺＤ抵抗３、ＮＭＯＳトランジスタＴ３、抵抗Ｒ１３が順番に直列接続されて分圧回路を構成しており、この分圧回路は、抵抗分圧回路８と直列に接続されている。すなわち、ツェナーダイオードＺＤ１のカソードは接地され、抵抗Ｒ１３の低電位端は抵抗Ｒ８の高電位端に接続されている。
【００２７】
ダイノードＤ１０はＮＭＯＳトランジスタＴ１とツェナダイオードＺＤ２との接続点に、ダイノードＤ９はＮＭＯＳトランジスタＴ２とツェナダイオードＺＤ３との接続点に抵抗Ｒｘを通じて、ダイノードＤ８はＮＭＯＳトランジスタＴ３と抵抗Ｒ１３との接続点に、ダイノードＤ７は抵抗Ｒ１３の低電位端にそれぞれ接続されている。Ｃ１〜Ｃ３は高周波電位変動低減用のコンデンサである。Ｄｉはゲート保護用のダイオードである。ツェナダイオードの代わりに抵抗を用いてもよい。
【００２８】
ダイノードＤ９はコンデンサＣｘを通じてオペアンプ回路１７の＋入力端に接続され、オペアンプ回路１７の出力端はボルテージフォロワ回路１８及び図示省略した積分回路を順次通じて図示しない第１のＡＤコンバータに出力される。なお、この積分回路は１ピクセルに相当する期間ごとにリセットされるものとする。
【００２９】
コンデンサＣｘのオペアンプ回路１７側の端子はリセットスイッチをなすトランジスタＴ４を通じて接地されている。
【００３０】
また、アノードＡは、オペアンプ回路１９の−入力端に接続され、オペアンプ回路１９の出力端はボルテージフォロワ回路２０及び図示省略した積分回路を順次を通じて図示しない第２のＡＤコンバータに出力される。オペアンプ回路１９の＋入力端は接地されているために、アノードＡは接地電位とみなすことができる。これらデジタル信号はマイコン２１により処理され、また、マイコン２１は後述するトランジスタＴ４のゲート電圧を制御し、レーザー装置２の発光を制御する。
（動作説明）
この装置の動作を以下に説明する。
【００３１】
レーザー装置２は、所定周波数で断続するレーザー光を用いてイメージングプレート１を二次元走査し、輝尽発光するイメージングプレート１の光がカソードＣに入射し、ディバイダ回路６及びアクティブディバイダ回路７から分圧が与えられる光電子増倍管３の各ダイノードＤ１〜Ｄ１０が光電子増倍を行って光電子電流が最終的にアノードＡに達する。
【００３２】
光電子増倍管３に光電子増倍が生じると、アノードＡからダイノードＤ１０へ流れる。この電流はツェナダイオードＺＤ２、ＮＭＯＳトランジスタＴ２、ツェナダイオードＺＤ３、ＮＭＯＳトランジスタＴ３、抵抗Ｒ１３、Ｒ８、Ｒ０を通じて負の直流電源に流れる。このアクティブディバイダ７により、ＮＭＯＳトランジスタＴ１とツェナダイオードＺＤ２との接続点の電位すなわちダイノードＤ１０の電位は安定に保持される。同様に、ＮＭＯＳトランジスタＴ２とツェナダイオードＺＤ３との接続点の電位も安定に保持される。ダイノードＤ８の電流増加により抵抗Ｒ１３の電圧降下が増大しようとすると、ゲート接地されたＮＭＯＳトランジスタＴ３のソース電位上昇によりＮＭＯＳトランジスタＴ３の電流が減少して、抵抗Ｒ１３の電圧降下の変化を抑止する。
【００３３】
なお、ダイノードＤ７〜Ｄ１０に、ダイノードＤ１〜Ｄ６と同じく単純な抵抗分圧回路の分圧を個別に印加することや、ツェナダイオードＺＤ２、ＺＤ３を抵抗に変換することも可能である。
【００３４】
電流検出抵抗Ｒｘの抵抗値は小さく設定されている。ダイノードＤ９に流れ込む電流に比例する電圧降下が電流検出抵抗Ｒｘに生じてダイノードＤ９の電位が僅かに変動し、この変動がコンデンサＣｘを通じてオペアンプ回路１７に伝送され、オペアンプ回路１７、１８はそれを実質的に電流増幅して出力する。ここで重要な点は、ダイノードＤ９の直流電位がコンデンサＣｘにより遮断されるため、オペアンプ回路１７、１８は、通常のオペアンプ回路１９、２０と同一の電源電圧で作動可能であり、回路構成の複雑化は生じないことである。
【００３５】
コンデンサＣｘのオペアンプ側の端子は、リセットスイッチをなすトランジスタＴ４を定期的にオンすることにより定期的に接地電位に設定され、これによりフローティグ状態であるコンデンサＣｘの＋入力端の電位が変動するのが防止される。結局、トランジスタＴ４をオフすると、接地電位を基準として変動する電流検出抵抗Ｒｘの電圧上昇がオペアンプ回路１７に入力され、オペアンプ回路１７の＋入力端の電位は正側に変化し、この電位変化は、オペアンプ回路１７により所定増幅率で電圧増幅され、ボルテージフォロワ回路１８により電流増幅され、積分回路で積分された後、図示しない第１のＡＤコンバータにてデジタル信号に変換される。
【００３６】
また、アノードＡの電位を接地電位に保つためにオペアンプ回路１９がアノードＡに電流（アノード電流）を供給し、オペアンプ回路１９がこのアノード電流に比例する電圧をボルテージフォロワ回路２０を通じて図示しない第２のＡＤコンバータに出力し、この第２のＡＤコンバータはアノード電流に相当するデジタル信号を出力する。
【００３７】
これら二つのＡＤコンバータが出力する二つのデジタル信号すなわちアノード電流とダイノードＤ９の電流とに相当する二つのデジタル信号は、マイコン２１によりそれらの増幅率を光電子増倍管を含む全体の増幅率が等しくなるように等価調整され、比較されて、大きい方の信号が装置出力として出力される。なお、オペアンプ回路１７の平均信号電圧はアノード電圧よりも減少するため、この分を加味して等価調整を行う必要がある。この種の回路は専用のデジタル回路で構成されても構成されることができる他、アナログ回路にて構成してもよい。オペアンプ回路１７、１９の電圧増幅率を調整して上記増幅率の等価調整を行っても良い。
【００３８】
この実施例にて重要なことは、リセットスイッチをなすトランジスタＴ４のオンが、定期的に発光するレーザー装置２の発光中止期間と同期して行われることである。このようにすれば、トランジスタＴ４のオン期間にイメージングプレート１の輝尽発光がほとんど発生しないため、トランジスタＴ４のオンにより装置出力を取り出せないリセット期間にイメージングプレート１の蓄積電荷潜像がレーザー光による輝尽発光により消滅するのを防止することができる。なお、図１の回路において、回路安定化などの目的のために種々の回路素子を追加することも可能であることは言うまでもない。たとえば、各分圧抵抗と並列にコンデンサを接続しても良い。
（実施例効果）
上記実施例によれば、ダイノードＤ９から出力される電流をアノード電流に等しくなるように等価し、ダイノードＤ９の電流とアノード電流のうち大きい方を装置出力とするため、簡素な回路を追加するだけで光電子増倍管３のダイナミックレンジの増大が可能となる。もちろん、ダイノードＤ９の電流は上記等価のために外部増幅回路を用いるためノイズレベルの増加が問題となるが、ダイノードＤ９の電流を装置出力として用いるのは、上記したように大電流時のみであるので実用上問題は生じない。また、コンデンサＣｘによりダイノードＤ９の直流電位を遮断するためにダイノードＤ９の電流増幅回路の電源系が簡素となり、このコンデンサＣｘをリセットスイッチにより定期リセットするため、コンデンサＣｘの充電の影響も防止することができる。更に、リセットスイッチのオン時にレーザ光をオフするためイメージングプレート１の無駄な輝尽発光も防止することができる。
【００３９】
図１の装置の入出力特性の試験結果を図２に示す。
【実施例２】
【００４０】
本発明の他の実施例を図３を参照して説明する。
【００４１】
この実施例は、実施例１において光電子増倍管３のカソードＣを接地し、そのアノードＡを抵抗Ｒ０を通じて正の高電圧を出力する電源５’に接続したものである。更にこの実施例では、アノードＡはコンデンサＣｘ’を通じてオペアンプ回路１７’の＋入力端に接続され、コンデンサＣｘ’のオペアンプ回路１７’側の端子はリセットスイッチであるトランジスタＴ４’により定期的に接地電位にリセットされる。このようにすれば、カソードＣの電位の安定化によりカソードＣとダイノードＤ１との間の電界強度を安定化することができるとともに、各オペアンプ回路を接地電位基準で駆動できるため回路構成を簡素化することができる。
（変形態様）
本発明は上述したイメージングプレート信号処理装置の他、種々の光電子増倍管応用装置に適用できることは当然である。また、ダイノードＤ９以外のダイノードたとえばダイノードＤ８に同様にダイノード電流検出用の抵抗素子を追加し、それを等価増幅してデジタル信号とし、すべてのデジタル信号のうち最も大きなデジタル信号を選択するように構成すれば更なるダイナミックレンジの拡大が期待される。
（変形態様）なお、アノード出力をダイノード出力への切り替えは所定のアノード電流値にて実行してもよい。
【実施例３】
【００４２】
本発明の他の実施例を図４を参照して説明する。
【００４３】
この実施例は、実施例１又は２において、アンプ２０又は１８とＡ／Ｄコンバータ１００との間に、アンプ２０又は１８の出力電圧を積分する積分回路２００とこの積分回路２００の積分電圧を定期的にリセットする積分リセットスイッチ３００とを設けたものである。積分回路２００は通常のＲＣ積分回路であるが、その他、種々のアナログ積分回路を採用できることはもちろんである。Ａ／Ｄコンバータ１００は、外部からのサンプリングパルス信号Ｓｓの入力タイミングにて積分回路２００サンプリングした入力電圧をデジタル信号に変換し、Ａ／Ｄコンバータ１００がサンプリングを終了した直後に積分リセットスイッチ３００が積分回路２００のコンデンサＣの蓄電電荷を消去する。積分リセットスイッチ３００へ入力されるリセットパルス電圧Ｖｇは、図１又は図３にてリセットスイッチＴ４に印加されるリセットパルス電圧であって、コンデンサＣｘ又はｃＸ’とコンデンサＣは同じタイミングにてリセットされる。
【００４４】
これにより、イメージングプレート１の無駄な輝尽発光を防止するとともに、信号電流に対するダークカレントや高周波数ノイズ成分やサンプリングノイズの実質的な低減を図ることができるため、従来に比較して格段に優れたＳＮ比を得ることができる。
【図面の簡単な説明】
【００４５】
【図１】実施例１の回路を示す回路図である。
【図２】実施例１の回路の試験結果を示す特性図である。
【図３】実施例２の回路を示す回路図である。
【図４】実施例３の回路を示す回路図である。
【符号の説明】
【００４６】
Ａ      アノード
Ｃ      カソード
Ｃｘ      コンデンサ
Ｄ１〜Ｄ１０      ダイノード
Ｒ０〜Ｒ１３      抵抗
Ｒｘ      電流検出抵抗
Ｔ１〜Ｔ３  ＮＭＯＳトランジスタ
Ｔ４      トランジスタ（リセット用のスイッチ）
ＺＤ１〜ＺＤ３      ツェナーダイオード
１      イメージングプレート
２      レーザー装置
３      光電子増倍管
４      光電子増倍管増幅回路
５      直流電源
６      抵抗分圧回路
７      アクティブディバイダ
８      抵抗分圧回路
１７      オペアンプ回路（ダイノードアンプ）
１８      ボルテージフォロワ回路
１９      オペアンプ回路（アノードアンプ）
２０      ボルテージフォロワ回路
２１      マイコン（選択回路）
【図１】
2005276488.tif 000003
【図２】
2005276488.tif 000004
【図３】
2005276488.tif 000005
【図４】
2005276488.tif 000006
【手続補正書】
【提出日】平成16年4月9日(2004.4.9)
【手続補正１】
【補正対象書類名】図面
【補正対象項目名】図１
【補正方法】変更
【補正の内容】
【図１】
2005276488.tif 000007
【手続補正２】
【補正対象書類名】図面
【補正対象項目名】図３
【補正方法】変更
【補正の内容】
【図３】
2005276488.tif 000008